(57)【要約】【課題】軒天受け部材の固定作業を容易化する。【解決手段】建物の軒部においては、軒部の軒先部分と軒元側の外壁との間に軒天材２７が固定されている。外壁の壁面には、軒天材２７において外壁側の端部である壁側端部を支持する軒天受け部材２８が固定されている。軒天見切り材４６は、壁面に所定間隔で複数設けられた複数の軒天受け金具２８に架け渡して取り付けられている。軒天受け金具２８は、軒天材２７の壁側端部を上下から挟み込んで支持する支持部５１と、支持部５１から上方に延びる立ち上がり部５２と、壁面に固定される固定部５３と、を有している。固定部５３は、立ち上がり部５２に水平方向に対向するようにして設けられ、その対向部分においてビス４５の締結により壁面に固定されている。【選択図】      図４
2015218553.tif 000002
【特許請求の範囲】
【請求項１】
建物の軒部において前記軒部の軒先部分と軒元側の外壁との間に軒天材が固定されている建物の軒部構造であって、
前記外壁の壁面に固定され、前記軒天材において前記外壁側の端部である壁側端部を支持する軒天受け部材と、
前記壁面に所定間隔で複数設けられた複数の前記軒天受け部材に架け渡して取り付けられる長尺の軒天見切り材と、
を備え、
前記軒天受け部材は、
前記軒天材の前記壁側端部を上下から挟み込んで支持する支持部と、
前記支持部から上方に延びる立ち上がり部と、
前記壁面に固定される固定部と、
を有し、
前記固定部は、前記立ち上がり部に水平方向に対向するようにして設けられ、その対向部分において固定具の締結により前記壁面に固定されていることを特徴とする建物の軒部構造。
【請求項２】
前記軒天受け部材は所定幅の板材よりなり、
前記軒天受け部材の前記固定部は、前記立ち上がり部の側を正面とした正面視で、前記立ち上がり部に対向していない部位を有しており、その立ち上がり部に対向していない部位に、前記固定具を締結させる締結部が設けられていることを特徴とする請求項１に記載の建物の軒部構造。
【請求項３】
前記立ち上がり部の横幅は前記固定部の横幅よりも小さく、前記立ち上がり部の側を正面とした正面視で、前記固定部において前記立ち上がり部よりも側方の部位を、前記立ち上がり部に対向していない部位として前記締結部が設けられていることを特徴とする請求項２に記載の建物の軒部構造。
【請求項４】
前記立ち上がり部と前記固定部との間となる空間部に、前記軒天見切り材の上板部に対向するように長尺の壁際見切り材が設けられ、
前記壁際見切り材は、前記軒天見切り材と前記壁際見切り材との間の隙間を熱膨張により閉塞する熱膨張部材を有し、前記固定部との共締めにより前記壁面に対して固定されていることを特徴とする請求項１乃至３のいずれか１項に記載の建物の軒部構造。
【請求項５】
前記軒部に建物本体から張り出して設けられ、前記壁面から離間しかつ当該壁面の延びる方向に沿って設けられる梁材を有する張出フレームを備える建物に適用され、
前記固定部には、前記梁材よりも高さ位置が下となる部位に、前記固定具を締結させる締結部が設けられていることを特徴とする請求項１乃至４のいずれか１項に記載の建物の軒部構造。
【請求項６】
前記張出フレームには、前記軒天材を吊り下げ支持する吊り下げ支持材が取り付けられ、
前記軒天材は、前記張出フレームから下方に離間した位置にて前記吊り下げ支持材により吊り下げ支持されており、
高さ方向において前記軒天材と前記張出フレームとの間となる位置に前記締結部が設けられていることを特徴とする請求項５に記載の建物の軒部構造。
【請求項７】
前記軒部に建物本体から張り出して設けられ、前記壁面から離間しかつ当該壁面の延びる方向に沿って設けられる梁材を有する張出フレームを備える建物に適用され、
前記軒部には、前記張出フレームが設けられている部位と設けられていない部位とがあり、張出フレームが設けられている部位の壁面には第１軒天受け部材が固定され、前記張出フレームが設けられていない部位の前記壁面には第２軒天受け部材が固定されている建物の軒部構造であって、
前記第１軒天受け部材は、
前記固定部が前記立ち上がり部に水平方向に対向するようにして設けられている前記軒天見切り材であり、
前記第２軒天受け部材は、
前記軒天材の前記壁側端部を上下から挟み込んで支持する第２支持部と、
前記第２支持部から上方に延びる第２立ち上がり部と、
前記壁面に固定され、前記第２立ち上がり部よりも上方に向けて延びるように設けられる第２固定部と、
を有していることを特徴とする請求項１乃至６のいずれか１項に記載の建物の軒部構造。
【発明の詳細な説明】
【技術分野】
【０００１】
本発明は、建物の軒部構造に関するものである。
【背景技術】
【０００２】
住宅等の建物において軒部を備える構成では、軒天材の壁側端部（軒元側の端部）が軒天受け部材により支持されるようになっている。軒天受け部材は、外壁の壁面に例えば数１０ｃｍ間隔で複数固定され、その複数の軒天受け部材に架け渡すようにして軒天見切り材が取り付けられるようになっている。その具体的構成は、例えば特許文献１等に開示されている。簡単に説明すると、軒天受け部材は、軒天材の壁側端部を支持する略コ字状の支持部と、その支持部から上方に延びる立ち上がり部とを有している。また、立ち上がり部はクランク状に上方に折り曲げ形成されている。そして、軒天受け部材は、クランク状の立ち上がり部の最上部で壁面に重なるとともに、その重なり部を固定部として、ビス等を用いて壁面に締結固定されている。
【先行技術文献】
【特許文献】
【０００３】
【特許文献１】特開２００８−１０１３９５号公報
【発明の概要】
【発明が解決しようとする課題】
【０００４】
しかしながら、上記のように軒天受け部材において立ち上がり部がクランク状に折り曲げ形成され、その最上部の位置で壁面に締結固定される構成では、軒部の内部に軒フレーム等の構造物が存在する場合に、その軒フレーム等が邪魔になって、軒天受け部材の締結作業に支障が及ぶことが懸念される。例えば、軒部の張出量を比較的大きいものにする場合には、軒部の内部に建物本体から張り出した軒フレームが取り付けられるが、その軒フレームの存在が、軒天受け部材の締結固定の支障になることが考えられる。
【０００５】
本発明は、上記事情に鑑みてなされたものであり、軒天受け部材の固定作業を容易化することができる建物の軒部構造を提供することを主たる目的とするものである。
【課題を解決するための手段】
【０００６】
以下、上記課題を解決するのに有効な手段等につき、必要に応じて作用、効果等を示しつつ説明する。なお以下においては、理解の容易のため、発明の実施の形態において対応する構成の符号を括弧書き等で適宜示すが、この括弧書き等で示した具体的構成に限定されるものではない。
【０００７】
第１の発明は、
建物の軒部（２５）において前記軒部の軒先部分と軒元側の外壁（１４）との間に軒天材（２７）が固定されている建物の軒部構造であって、
前記外壁の壁面に固定され、前記軒天材において前記外壁側の端部である壁側端部を支持する軒天受け部材（２８）と、
前記壁面に所定間隔で複数設けられた複数の前記軒天受け部材に架け渡して取り付けられる長尺の軒天見切り材（４６）と、
を備え、
前記軒天受け部材は、
前記軒天材の前記壁側端部を上下から挟み込んで支持する支持部（５１）と、
前記支持部から上方に延びる立ち上がり部（５２）と、
前記壁面に固定される固定部（５３）と、
を有し、
前記固定部は、前記立ち上がり部に水平方向に対向するようにして設けられ、その対向部分において固定具（４５）の締結により前記壁面に固定されていることを特徴とする。
【０００８】
上記構成では、軒天受け部材において軒天材の上方の立ち上がり部に対向するようにして固定部が設けられ、その固定部がビス等の固定具により壁面に対して固定されている。この場合、軒天受け部材から起立して立ち上がり部が形成されていることで、軒部内の位置で固定部での固定を行わせることができるとともに、軒天受け部材に対して軒天見切り材を取り付ける上で好都合な構成となっている。また、立ち上がり部に対向するようにして固定部が設けられていることで、高さ方向における固定部の固定位置を、軒部内（すなわち軒天材よりも高い位置）にしつつも軒天材に近い位置にすることができ、仮に軒部内に軒フレーム等の構造物が存在していても、その構造物が軒天受け部材の締結固定の邪魔になることを抑制できる。その結果、軒天受け部材の固定作業を容易化することができる。
【０００９】
第２の発明は、前記軒天受け部材は所定幅の板材よりなり、前記軒天受け部材の前記固定部は、前記立ち上がり部の側を正面とした正面視で、前記立ち上がり部に対向していない部位を有しており、その立ち上がり部に対向していない部位に、前記固定具を締結させる締結部（５３ａ）が設けられていることを特徴とする。
【００１０】
軒天受け部材では立ち上がり部に対向して固定部が設けられているが、上記のとおり固定部において立ち上がり部に対向していない部位に締結部を設けることで、立ち上がり部の側からの固定具の締結作業を立ち上がり部が支障になることなく実施できる。
【００１１】
第３の発明は、前記立ち上がり部の横幅は前記固定部の横幅よりも小さく、前記立ち上がり部の側を正面とした正面視で、前記固定部において前記立ち上がり部よりも側方の部位を、前記立ち上がり部に対向していない部位として前記締結部が設けられていることを特徴とする。
【００１２】
上記構成では、軒天受け部材において立ち上がり部の横幅が固定部の横幅よりも小さくなっており、立ち上がり部の正面視で立ち上がり部よりも側方の部位に固定具が締結される。この場合、立ち上がり部と固定部との横幅を相違させるといった簡易な手法を用いて、立ち上がり部の奥側の固定部を好適に締結固定できる。
【００１３】
第４の発明は、前記立ち上がり部と前記固定部との間となる空間部に、前記軒天見切り材の上板部（４６ａ）に対向するように長尺の壁際見切り材（６１）が設けられ、前記壁際見切り材は、前記軒天見切り材と前記壁際見切り材との間の隙間を熱膨張により閉塞する熱膨張部材（６２）を有し、前記固定部との共締めにより前記壁面に対して固定されていることを特徴とする。
【００１４】
熱膨張部材を有する壁際見切り材が、軒天見切り材に対して所定距離（熱膨張部材の熱膨張に適した所定距離）を隔てて設けられ、立ち上がり部と固定部との間となる空間部を好適な設置位置として配置される。この場合、固定部との共締めにより壁際見切り材を壁面に対して固定するようにしたため、固定具の個数削減や作業性の向上を図ることができる。
【００１５】
第５の発明は、前記軒部に建物本体（１１，１２）から張り出して設けられ、前記壁面から離間しかつ当該壁面の延びる方向に沿って設けられる梁材（３２ｂ）を有する張出フレーム（３０）を備える建物に適用され、前記固定部には、前記梁材よりも高さ位置が下となる部位に、前記固定具を締結させる締結部（５３ａ）が設けられていることを特徴とする。
【００１６】
例えば柱付きベランダを有する建物では、建物本体から張り出して張出フレームが設けられ、その張出フレームの存在が軒天受け部材の締結固定の邪魔になることが考えられる。この点、固定部の締結部を、張出フレームの梁材よりも高さ位置が下となる部位に設ける構成としたため、張出フレームの存在に関係なく軒天受け部材の締結固定を容易に実施できる。
【００１７】
第６の発明は、前記張出フレームには、前記軒天材を吊り下げ支持する吊り下げ支持材（３５）が取り付けられ、前記軒天材は、前記張出フレームから下方に離間した位置にて前記吊り下げ支持材により吊り下げ支持されており、高さ方向において前記軒天材と前記張出フレームとの間となる位置に前記締結部が設けられていることを特徴とする。
【００１８】
張出フレームから軒天材を吊り下げ支持する構成では、張出フレームから下方に離間して軒天材を設けることが可能となる。この場合に、高さ方向において軒天材と張出フレームとの間となる位置は、立ち上がり部の側から見て、張出フレーム及び軒天受け部材の支持部のいずれかにも邪魔されずにアクセスできる位置となる。したがって、高さ方向において軒天材と張出フレームとの間となる位置に締結部を設けることで、やはり好適に軒天受け部材の固定作業を実施できる。
【００１９】
第７の発明は、前記軒部に建物本体（１１，１２）から張り出して設けられ、前記壁面から離間しかつ当該壁面の延びる方向に沿って設けられる梁材（３２ｂ）を有する張出フレーム（３０）を備える建物に適用され、前記軒部には、前記張出フレームが設けられている部位と設けられていない部位とがあり、張出フレームが設けられている部位の壁面には第１軒天受け部材（２８）が固定され、前記張出フレームが設けられていない部位の前記壁面には第２軒天受け部材（７０）が固定されている建物の軒部構造であって、前記第１軒天受け部材は、前記固定部が前記立ち上がり部に水平方向に対向するようにして設けられている前記軒天見切り材であり、前記第２軒天受け部材は、前記軒天材の前記壁側端部を上下から挟み込んで支持する第２支持部（７１）と、前記第２支持部から上方に延びる第２立ち上がり部（７２）と、前記壁面に固定され、前記第２立ち上がり部よりも上方に向けて延びるように設けられる第２固定部（７３）と、を有していることを特徴とする。
【００２０】
張出フレームが設けられている部位には第１軒天受け部材を用いるとともに、張出フレームが設けられていない部位には第２軒天受け部材を用いることとし、それら軒天受け部材では固定部の延びる方向を上下逆にした。この場合、各軒天受け部材を単純に比べると、固定部が上方に延びる第２軒天受け部材の方が固定作業はし易いとも言えるが、第２軒天受け部材を張出フレームの有無にかかわらず全箇所で用いるのでは、やはり上記のとおり張出フレームが邪魔になることが考えられる。こうしたことからすると、上記のように各軒天受け部材を使い分けることが好都合であると考えられる。
【図面の簡単な説明】
【００２１】
【図１】建物においてベランダを斜め下方より見た斜視図。
【図２】ベランダの軒部の構成を示す縦断面図。
【図３】軒フレームの構成を示す平面図。
【図４】軒部の軒元側の構成を拡大して示す縦断面図。
【図５】軒元側の主要な構成を示す斜視図。
【図６】軒天受け金具を立ち上がり部の側から見た正面図。
【図７】軒天受け金具の構成を示す縦断面図。
【図８】別の形態において軒天受け金具の構成を示す斜視図。
【図９】別の形態において軒天受け金具の構成を示す縦断面図。
【発明を実施するための形態】
【００２２】
以下、本発明を具体化した一実施形態を図面を参照しつつ説明する。本実施形態では、多層階建物において上階部（例えば二階建て建物の二階部）に屋根・柱付きのベランダが設けられている構成を採用しており、建物の屋根部がベランダ上方を覆うようにして設けられている。建物は、例えば鉄骨フレームよりなる複数の建物ユニットにより構築されるユニット式建物である。
【００２３】
図１は建物においてベランダを斜め下方より見た斜視図、図２はベランダの軒部の構成を示す縦断面図である。
【００２４】
図１に示すように、建物１０は、下階部としての一階部分１１と上階部としての二階部分１２とを有しており、二階部分１２の上方に屋根部１３が設けられている。二階部分１２には、外壁１４の一部を一階部分１１の出隅よりも凹ませるようにしてベランダ１５が設けられている。つまり、二階部分１２の外壁１４に入隅が設けられ、そこにベランダ１５が設けられている。ベランダ１５は、側面の二方が外壁１４に囲まれ、かつ二方が開放されており、開放側の部分には腰壁部１６が設けられている。また、ベランダ１５には、その上方に張り出した屋根部１３を支持するためのベランダ柱１７が設けられており、腰壁部１６の出隅部分はベランダ柱１７に対して固定されている。
【００２５】
なお、建物１０のユニット構造において一階部分１１の建物ユニットに対して二階部分１２の建物ユニットを後退（セットバック）させて配置することで、一階部分１１の建物ユニットの上方にベランダ形成の空間が確保されるようになっている。
【００２６】
外壁１４において二階屋内空間とベランダ空間とを仕切る部分（ベランダ外壁１４ａ）には開口部としての窓部１８が設けられており、その窓部１８には開閉体としてのサッシ戸１９が設けられている。窓部１８は掃出窓であり、窓部１８を通じてベランダ１５への人の出入りが可能となっている。
【００２７】
屋根部１３は、寄棟屋根や切妻屋根などの傾斜屋根を構成するものである。図２に示すように、屋根部１３は、屋根傾斜方向に延びる屋根フレームとしての垂木２１と、その垂木２１の上に設けられた屋根下地材としての野地板２２と、野地板２２の上に設けられた屋根仕上材としての瓦２３とを有している。屋根部１３において、外壁１４から屋外側へ張り出している部分が軒部２５であり、軒部２５において垂木２１の先端部には鼻先木２６が固定されている。図１に示すように、ベランダ１５とそれ以外とでは、軒部２５において外壁面から軒先までの長さが相違しており、ベランダ１５では、それ以外の部位よりも軒長さが大きくなっている。そして、軒部２５において、ベランダ１５の上方となる部分（軒長さが大きい部分）がベランダ柱１７により支持されている。
【００２８】
軒部２５の下部（つまり軒裏）には、軒天部を構成する複数の軒天材２７が設けられている。軒天材２７は、所定の耐火性能を有する平板状の不燃材よりなり、外壁１４と鼻先木２６との間に架け渡されて設けられている。この場合、軒天材２７は、軒先側の端部が鼻先木２６に対してビス等により固定され、その反対側の軒元側の端部（壁側端部）が軒天受け金具２８により支持されている。
【００２９】
軒部２５には張出フレームとしての軒フレーム３０が設けられており、次にその軒フレーム３０の構成について説明する。図３は、軒フレーム３０の構成を示す平面図である。図３において、ＨＬは建物本体の外縁（外壁ライン）を示し、ＲＬは屋根部１３の外縁を示している。
【００３０】
軒フレーム３０は、水平方向に延びるようにして、軒天材２７の上方となる位置に設けられている（図２参照）。軒フレーム３０は、一端が建物本体の躯体（建物ユニットの柱又は天井大梁）に対して固定され、外壁面（窓部１８が設けられたベランダ外壁１４ａの外面）からそれに直交する方向に延びる２本の張出梁３１と、それら張出梁３１に直交する向き、すなわち外壁面に水平な方向に延び、張出梁３１の先端部分及び中間部分にそれぞれ連結される一対の連結梁３２とを有している。各連結梁３２は、外壁面から離間した位置にそれぞれ設けられている。張出梁３１及び連結梁３２はそれぞれ断面コ字状の溝形鋼よりなる。張出梁３１はそれぞれ溝開口がフレーム中心側となる向きで設けられ、連結梁３２は溝開口が互いに向き合うようにして設けられている。なお、説明の便宜上、張出梁３１の先端部分に連結される連結梁３２を「先端連結梁３２ａ」、中間部分に連結される連結梁３２を「中間連結梁３２ｂ」とも称する。
【００３１】
建物本体の躯体に対する張出梁３１の固定について具体的には、例えば建物ユニットの柱に溶接等により固定金具が取り付けられ、その固定金具に張出梁３１がボルト等により固定されている。先端連結梁３２ａは、ベランダ１５の出隅側の一端がベランダ柱１７により支持され、それとは逆の他端が建物本体に連結されている。
【００３２】
一対の連結梁３２の間には、張出梁３１に平行となる向きで複数の小梁３３が設けられている。小梁３３は、張出梁３１や連結梁３２よりも小さい断面寸法を有する鉄鋼材よりなり、例えば溝形鋼又は角形鋼である。小梁３３は、軒天材２７を吊り下げ支持するための吊り下げ手段を固定する部材である。
【００３３】
図２に示すように、小梁３３にはその下方に延びる吊り下げ支持材３５が固定され、その吊り下げ支持材３５の下端に、軒天材２７の下地材３６が固定されている。下地材３６は、軒先と同じ方向に延びる長尺材よりなり、軒フレーム３０の下方となる部分では吊り下げ支持材３５により軒天材２７が吊り下げ支持されている。また、軒フレーム３０の下方以外の部分（軒先側の部分）では、下地材３６が、垂木２１から下方に延びる、吊り下げ支持材３５とは別の吊り下げ支持材３７に固定され、その吊り下げ支持材３７により軒天材２７が吊り下げ支持されている。
【００３４】
図２において、ベランダ外壁１４ａは外壁材４１と下地フレーム４２とを有する外壁ユニット４３により構成されており、その外壁ユニット４３が、建物ユニットを構成する天井大梁４４に対して固定されている。
【００３５】
次に、軒天材２７の軒元部における支持構造について詳しく説明する。本実施形態では、軒天材２７の軒元側端部を軒天受け金具２８により支持する構成としており、軒天受け金具２８による支持状態では、軒天材２７は外壁面に対して所定の隙間Ｃを隔てて配置されている。つまり、外壁材４１に対する軒天材２７の見切り部には隙間Ｃが形成されており、その隙間Ｃが、軒天空間の換気を行わせる換気口となっている。
【００３６】
図４は、軒部２５の軒元側の構成を拡大して示す縦断面図であり、図５は、軒元側の主要な構成を示す斜視図である。
【００３７】
図４及び図５に示すように、軒天受け金具２８は、鋼板材が所定形状に折り曲げられることで形成されており、外壁材４１の外面にビス４５（又は釘等）により固定されている。軒天受け金具２８は、外壁材４１において同じ高さ位置に所定間隔（例えば数１０ｃｍ〜１００ｃｍ間隔）で複数設けられている。また、軒天受け金具２８は、外壁面から離間した状態で軒天見切り材４６を保持する役目を有しており、所定間隔で設けられる複数の軒天受け金具２８に架け渡して長尺状の軒天見切り材４６が取り付けられるようになっている。なお、軒天材２７と外壁面との間の隙間Ｃは、実際には軒天見切り材４６と外壁面との間の隙間として形成されている。
【００３８】
より詳しくは、軒天受け金具２８は、軒天材２７の壁側端部を上下から挟み込んで支持する略コ字状の支持部５１と、軒天材２７の上方において支持部５１から上方に延びる立ち上がり部５２と、外壁材４１に対してビス固定される固定部５３と、立ち上がり部５２及び固定部５３の上端部同士を繋ぐ繋ぎ部５４とを有しており、これら各部が一体に曲げ形成されている。
【００３９】
立ち上がり部５２は、支持部５１の上下一対の対向板部５１ａ，５１ｂのうち上側の対向板部５１ａから上方に起立するように設けられており、その立ち上がり位置は、支持部５１の壁側の端部位置よりも反壁部側となっている。そのため、上側の対向板部５１ａには、軒天見切り材４６が重ね合わされる重なり面が確保されている。つまり、軒天見切り材４６は、支持部５１の上側の対向板部５１ａに対向する上板部４６ａと、下側の対向板部５１ｂに対向する下板部４６ｂとを有しており、これら各板部４６ａ，４６ｂにより支持部５１を外側から挟み込むようにしている。この場合、立ち上がり部５２の立ち上がり位置が支持部５１の壁側端部よりも反壁部側になっているため、立ち上がり部５２が軒天見切り材４６の取り付けに邪魔にならないようになっている。またこの場合、軒天見切り材４６の長手方向のいずれの位置においても軒天受け金具２８の組み付けが可能となっている。
【００４０】
なお、支持部５１の上側の対向板部５１ｂには下方に延びる突起５５が形成されており、その突起５５の先端部が軒天見切り材４６の下板部４６ｂに当接している（図４参照）。
【００４１】
また、外壁材４１は例えば窯業系サイディング材であり、その表面には細かな凹凸が存在しているが、固定部５３が外壁面に対して面当たりした状態で軒天受け金具２８が取り付けられるため、外壁面の凹凸による軒天受け金具２８の傾きが生じないようになっている。固定部５３には、締結部として複数のビス孔５３ａが形成されており、そのビス孔５３ａを通じてビス締結がなされるようになっている。
【００４２】
立ち上がり部５２、繋ぎ部５４及び固定部５３の一繋ぎの部分においては、繋ぎ部５４は立ち上がり部５２の上端から水平方向に折り曲げ形成されるとともに、固定部５３は繋ぎ部５４の壁側端部から下方に折り曲げ形成されている。そしてその結果、立ち上がり部５２と固定部５３とは水平方向に互いに対向している。これにより、軒天受け金具２８のビス固定位置（締結位置）が、繋ぎ部５４よりも下方（すなわち軒天材寄りの位置）となっている。
【００４３】
また、立ち上がり部５２は固定部５３に比べて横幅寸法が小さくなっており、立ち上がり部５２と固定部５３とが互いに対向した構成にあっても、立ち上がり部５２が固定部５３でのビス固定の支障になることが抑制されている。図６は、軒天受け金具２８を立ち上がり部５２の側から見た正面図である。図６に示すように、固定部５３には、立ち上がり部５２を挟んで両側となる位置にビス孔５３ａが形成されている。
【００４４】
ここで、上述したように軒部２５には軒フレーム３０が設けられており、外壁材４１の付近には軒フレーム３０の構成部材である中間連結梁３２ｂが存在している。そのため、軒天受け金具２８を外壁材４１に対してビス固定する際には、中間連結梁３２ｂがビス固定作業の邪魔になることが考えられる。つまり、軒部２５に軒フレーム３０が先付けされている状態で外壁材４１に対して軒天受け金具２８を固定する場合に、高さ方向において中間連結梁３２ｂと軒天受け金具２８の固定部５３とが重複していると、中間連結梁３２ｂがビス固定作業の邪魔になる。
【００４５】
この点、軒天受け金具２８において、上記のとおり固定部５３を繋ぎ部５４の壁側端部から下方に折り曲げ形成し、立ち上がり部５２と固定部５３とを互いに対向させるようにしたため、軒部２５に軒フレーム３０の中間連結梁３２ｂが存在していても、その中間連結梁３２ｂがビス固定作業の邪魔になることが抑制されるようになっている。ビス固定を好適に行う上では、図４に示すように、中間連結梁３２ｂよりも高さ位置が下となる部位にビス孔５３ａが設けられているとよい。
【００４６】
また本実施形態では、支持部５１の対向板部５１ａと繋ぎ部５４とを互いに平行にした構成において、立ち上がり部５２の高さ寸法よりも固定部５３の上下方向の長さ寸法を小さくした。これにより、立ち上がり部５２に対向して固定部５３が設けられる構成にあっても、固定部５３により隙間Ｃ（軒天材２７の壁側端部に形成される換気口）が狭くなることを抑制できる。
【００４７】
また、本実施形態の軒天構造は防火仕様のものとなっており、軒天受け金具２８には防火部材である熱膨張部材を有する壁際見切り材６１が一体に設けられている。以下、それを図４及び図５を用いて説明する。
【００４８】
外壁面には軒天見切り材４６の上方に壁際見切り材６１が設けられている。壁際見切り材６１は、断面Ｌ字状の長尺材よりなり、軒天受け金具２８において支持部５１、立ち上がり部５２、固定部５３及び繋ぎ部５４により囲まれた空間部を通すようにして設けられている。壁際見切り材６１は、外壁材４１に対して固定される固定部６１ａと、その固定部６１ａから壁面に直交する方向に延びる平板部６１ｂとを有しており、固定部６１ａは軒天受け金具２８の固定部５３と共にビス４５により共締めされ、平板部６１ｂは軒天見切り材４６の上板部４６ａに上下に対向するように配置されている。
【００４９】
壁際見切り材６１の平板部６１ｂには、その下面側、すなわち軒天見切り材４６の上板部４６ａに対向する側に防火部材としての熱膨張シート６２が取り付けられている。熱膨張シート６２は、不燃性体積膨張材よりなり、加熱により膨張し、壁際見切り材６１の平板部６１ｂと軒天見切り材４６の上板部４６ａとの間の隙間を塞ぐものとなっている。この場合、壁際見切り材６１の平板部６１ｂは、軒天見切り材４６の上板部４６ａに対して熱膨張シート６２の熱膨張に適した所定距離を隔てて対向配置されている。
【００５０】
通常状態では、外壁材４１及び壁際見切り材６１と軒天見切り材４６との間の隙間Ｃ（換気口）を通って外気が軒部２５内に入り、それにより軒部２５の換気が行われる。また、火災の発生時には、熱膨張シート６２の膨張により壁際見切り材６１と軒天見切り材４６との間の隙間が塞がれ、軒部２５内への火炎の侵入が抑制される。
【００５１】
また、建物１０の軒部２５においては、軒フレーム３０が存在する部位と存在しない部位とが存在することが考えられ、それら両者が存在する場合には、２種類の軒天受け部材が使い分けられる。ここでは、これまでに説明した軒天受け金具２８と、それとは異なる軒天受け金具７０とを使い分ける構成について説明する。
【００５２】
図７は、軒フレーム３０が存在しない部位に用いられる軒天受け金具７０の構成を示す縦断面図である。
【００５３】
軒天受け金具７０は、軒天受け金具２８と同様に、鋼板材が所定形状に折り曲げられることで形成され、外壁材４１の外面にビス４５により固定されるものであるが、その折り曲げ形状が相違している。軒天受け金具７０は、軒天受け金具２８と同様に、外壁面から離間した状態で軒天見切り材４６を保持する役目を有している。
【００５４】
より詳しくは、軒天受け金具７０は、軒天材２７の壁側端部を上下から挟み込んで支持する略コ字状の支持部７１と、軒天材２７の上方において支持部７１から上方に延びる立ち上がり部７２と、外壁材４１に対してビス固定される固定部７３と、立ち上がり部７２の上端部及び固定部７３の下端部を繋ぐ繋ぎ部７４とを有しており、これら各部が一体に曲げ形成されている。固定部７３には、締結部として複数のビス孔７３ａが形成されており、そのビス孔７３ａを通じてビス締結がなされるようになっている。
【００５５】
軒天受け金具７０では、軒天受け金具２８と比べて、固定部７３の折り曲げ方向が相違しており、固定部７３は繋ぎ部７４の壁側端部から上方に折り曲げ形成されている。したがって、軒天受け金具７０のビス固定位置（締結位置）が繋ぎ部７４よりも上方となっている。
【００５６】
また、外壁材４１には、軒天受け金具７０との共締めにより壁際見切り材８１が設けられている。壁際見切り材８１は、上述した壁際見切り材６１と同様に、外壁材４１に対して固定される固定部８１ａ（ただし延設の向きは逆）と、その固定部８１ａから壁面に直交する方向に延びる平板部８１ｂとを有しており、平板部８１ｂは軒天見切り材４６の上板部４６ａに上下に対向するように配置されている。また、壁際見切り材８１の平板部８１ｂには、その下面側、すなわち軒天見切り材４６の上板部４６ａに対向する側に防火部材としての熱膨張シート８２が取り付けられている。
【００５７】
図５には、軒部２５において軒フレーム３０が存在する部位と存在しない部位とが連続して設けられる場合に、これら各部位に壁際見切り材６１，８１を連続して設ける構成を示している。この場合、軒フレーム３０が存在する部位と存在しない部位とではその境界部を跨いで軒天見切り材４６が連続して（すなわち共通の軒天見切り材４６が）設けられている。また、各壁際見切り材６１，８１の平板部６１ｂ，８１ｂは水平方向に連続し、熱膨張シート６２，８２も水平方向に連続して設けられている。
【００５８】
次に、建物施工時におけるベランダ１５の施工手順について説明する。
【００５９】
建物１０の施工時には、まず建物施工現場において一階部分１１及び二階部分１２の建物ユニットを設置するとともに、二階部分１２のセットバック部分にベランダ１５を構築する。このとき、腰壁部１６と軒部２５とを構築する。その際、一階部分１１の建物ユニットの上にベランダ柱１７を立設し、次にベランダ柱１７の上に軒フレーム３０を固定する。このとき、軒フレーム３０は、外壁１４側の端部が建物ユニットの柱や大梁に対してボルト等により連結されるとともに、張出先端側の角部がベランダ柱１７の上端に対してボルト等により固定される。そしてその後、二階部分１２の上方に屋根フレーム等を用いて屋根部１３を構築する。
【００６０】
その後、外壁材４１に所定間隔で複数の軒天受け金具２８（必要に応じて軒天受け金具７０）を固定する。このとき、軒先の鼻先木２６の高さ位置を基準とし、その鼻先木２６に対して軒天材２７を固定した場合に当該軒天材２７が水平となる位置に、軒天受け金具２８をビス固定する。要するに、軒天受け金具２８は、軒フレーム３０が先付けされた状態でその後に取り付けられる。複数の軒天受け金具２８は、軒天見切り材４６に対して取り付けた状態で外壁材４１に対して各々固定されるとよい。またこのとき、軒天受け金具２８のビス固定は、ビス打ち工具を用いて行われるが、軒天受け金具２８におけるビス固定位置（固定部５３のビス孔５３ａ）は軒天材２７のすぐ上方となる位置であり、軒フレーム３０（中間連結梁３２ｂ）が支障になることなく、ビス固定の作業が実施される。
【００６１】
補足すると、本実施形態では、軒フレーム３０から軒天材２７を吊り下げ支持する構成となっており、軒フレーム３０から下方に離間して軒天材２７が取り付けられる。この場合に、高さ方向において軒天材２７と軒フレーム３０との間となる位置で軒天受け金具２８のビス固定を行うことで、軒フレーム３０及び支持部５１の各々に干渉せずに軒天受け金具２８のビス固定作業を実施できる。
【００６２】
その後、軒天材２７の固定作業を実施する。このとき、軒天材２７の中間部においては下地材３６により吊り下げ支持材３５，３７に対する固定を行い、軒先側においては鼻先木２６に対する固定を行い、軒元側においては軒天受け金具２８に対する固定を行う。
【００６３】
以上詳述した本実施形態によれば、以下の優れた効果が得られる。
【００６４】
軒天受け金具２８において軒天材２７の上方の立ち上がり部５２に対向するようにして固定部５３を設け、その固定部５３をビス４５により壁面に固定する構成とした。この場合、軒天受け金具２８から起立して立ち上がり部５２が形成されていることで、軒部２５内の位置で固定部５３での固定を行わせることができるとともに、軒天受け金具２８に対して軒天見切り材４６を取り付ける上で好都合な構成となっている。また、立ち上がり部５２に対向するようにして固定部５３が設けられていることで、高さ方向における固定部５３の固定位置を、軒部２５内（すなわち軒天材２７よりも高い位置）にしつつも軒天材２７に近い位置にすることができ、仮に軒部２５内に軒フレーム３０が存在していても、その軒フレーム３０が軒天受け金具２８の締結固定の邪魔になることを抑制できる。その結果、軒天受け金具２８の固定作業を容易化することができる。
【００６５】
また、立ち上がり部５２に対向させて固定部５３を設けることで、軒天受け金具２８の全体としてコンパクト化を図ることができる。
【００６６】
軒天受け金具２８の固定部５３は、立ち上がり部５２の側を正面とした正面視で、立ち上がり部５２に対向していない部位を有しており、その立ち上がり部５２に対向していない部位にビス孔５３ａを設ける構成とした。これにより、立ち上がり部５２の側からのビス４５の締結作業を立ち上がり部５２が支障になることなく実施できる。
【００６７】
より具体的には、軒天受け金具２８において立ち上がり部５２の横幅を固定部５３の横幅よりも小さくし、立ち上がり部５２の正面視で立ち上がり部５２よりも側方の部位にてビス４５を締結させるようにした。この場合、立ち上がり部５２と固定部５３との横幅を相違させるといった簡易な手法を用いて、立ち上がり部５２の奥側の固定部５３を好適に締結固定できる。
【００６８】
壁際見切り材６１を、軒天受け金具２８の固定部５３との共締めにより壁面に対して固定する構成とした。この場合、ビス４５の個数削減やビス固定の作業性の向上を図ることができる。
【００６９】
固定部５３のビス孔５３ａを、軒フレーム３０の中間連結梁３２ｂよりも高さ位置が下となる部位に設ける構成としたため、軒フレーム３０の存在に関係なく軒天受け金具２８の締結固定を容易に実施できる。
【００７０】
軒フレーム３０から軒天材２７を吊り下げ支持する構成では、軒フレーム３０から下方に離間して軒天材２７を設けることが可能となる。この場合に、高さ方向において軒天材２７と軒フレーム３０との間となる位置にビス孔５３ａを設けることで、軒フレーム３０及び支持部５１が邪魔とならずに好適に軒天受け金具２８の固定作業を実施できる。
【００７１】
軒フレーム３０が設けられている部位には軒天受け金具２８を用いるとともに、軒フレーム３０が設けられていない部位には軒天受け金具７０を用いることとし、それら軒天受け金具２８，７０では固定部５３，７３の延びる方向を上下逆にした。この場合、各軒天受け金具２８，７０を単純に比べると、固定部７３が上方に延びる軒天受け金具７０の方がビス固定作業はし易いとも言えるが、軒天受け金具７０を軒フレーム３０の有無にかかわらず全箇所で用いるのでは、やはり上記のとおり軒フレーム３０が邪魔になることが考えられる。こうしたことからすると、上記のように軒天受け金具２８，７０を使い分けることが好都合であると考えられる。
【００７２】
壁際見切り材６１，８１を互いに逆向きに折り曲げて形成し、軒天受け金具２８に一体化される壁際見切り材６１は固定部６１ａを下方に延ばし、軒天受け金具７０に一体化される壁際見切り材８１は固定部８１ａを上方に延ばすようにした。この場合、形状の異なる軒天受け金具２８，７０に対していずれも共締めが可能になる等、好適な構成を実現できる。
【００７３】
［他の実施形態］
本発明は上記実施形態の記載内容に限定されず、例えば次のように実施されてもよい。
【００７４】
・上記実施形態では、軒天受け金具２８において立ち上がり部５２を固定部５３に比べて幅狭にし、それにより、立ち上がり部５２と固定部５３とが互いに対向した構成にあっても固定部５３でのビス固定を可能としたが、これを変更してもよい。例えば、図８に示すように、軒天受け金具２８において立ち上がり部５２を固定部５３と同じ横幅寸法とし、その立ち上がり部５２に、ビス打ち工具を挿通させるための挿通孔５２ａを形成した構成とする。いずれにしろ、立ち上がり部５２と固定部５３とが互いに対向した構成にあっても固定部５３でのビス固定を可能とする構成であればよい。
【００７５】
・図９に示すように、軒天受け金具２８において立ち上がり部５２を斜め上方に延びるように形成し、その立ち上がり部５２の上端部に固定部５３を連結する構成としてもよい。立ち上がり部５２は図示のように円弧状に延びていてもよいし、直線状に斜め上方に延びていてもよい。本構成においても、固定部５３は、立ち上がり部５２に水平方向に対向するようにして設けられている。
【００７６】
・軒天受け金具２８，７０は、１枚の鋼板材を折り曲げて形成する以外に、複数枚（例えば２枚）の鋼板材を溶接等により接合して形成することが可能である。また、鋼板材を用いて軒天受け部材を構成する以外に、合成樹脂等を用いて軒天受け部材を構成することも可能である。
【００７７】
・上記実施形態では、柱付きベランダに二階部分１２の建物ユニットから張り出して軒フレーム３０を設けた建物について適用例を説明したが、これ以外の適用も可能である。例えば、ベランダ柱を有しないベランダ（柱無しベランダ）においてその軒部に本発明を適用してもよい。
【００７８】
また、二階部分１２にキャンチバルコニーを有する建物において本発明の適用が可能である。具体的には、二階部分１２のキャンチバルコニーの下部（底部）が一階の軒部となり、その軒部内に張出フレームとしてのバルコニーフレームが設けられる構成が考えられる。この場合、上記構成の軒天受け金具２８を用いることで、軒部内のバルコニーフレームが存在していても、そのバルコニーフレームが軒天受け金具２８の締結固定の邪魔になることを抑制できる。
【符号の説明】
【００７９】
１０…建物、１４…外壁、２５…軒部、２７…軒天材、２８…軒天受け金具（軒天受け部材）、３０…軒フレーム（張出フレーム）、３２ｂ…中間連結梁（梁材）、３５…吊り下げ支持材、４５…ビス（固定具）、４６…軒天見切り材、５１…支持部、５２…立ち上がり部、５３…固定部、５３ａ…ビス孔（締結部）、６１…壁際見切り材、６２…熱膨張シート（熱膨張部材）、７０…軒天受け金具（第２軒天受け部材）。
【図１】
2015218553.tif 000003
【図２】
2015218553.tif 000004
【図３】
2015218553.tif 000005
【図４】
2015218553.tif 000006
【図５】
2015218553.tif 000007
【図６】
2015218553.tif 000008
【図７】
2015218553.tif 000009
【図８】
2015218553.tif 000010
【図９】
2015218553.tif 000011